(57)【要約】      （修正有）【課題】電子デバイス内に２以上のバッテリを収容するためのシステムおよび方法を提供する。【解決手段】システムは第1の機構16，18を含み、第1の機構16，18は第１のバッテリ12および第２のバッテリ14の充電状態を判断して、それに応答して状態信号を供給する。第２の機構18，32，46は、状態信号に基いて、第１のバッテリ12または第２のバッテリ14、あるいはこの両者と関係する残りのバッテリ寿命の指標を与える。システムはさらに第３の機構36を含み、第３の機構36は状態信号に基いて、電子デバイス10の電源として第１のバッテリ12または第２のバッテリ14を選択的に採用する。【選択図】図３
2010035416.tif 000002
【特許請求の範囲】
【請求項１】
電子デバイス（10）内に２以上のバッテリ（12、14）を収容するのに役立つシステム（10，60）であって、 第１のバッテリ（12）および第２のバッテリ（14）の充電状態を判断し、それに応答して状態信号を与える第１の機構（18，60）と、 状態信号に基いて第１のバッテリ（12）または第２のバッテリ（14）、あるいはこの両者と関係する残りのバッテリ寿命の指標を与える第２の機構（18，60，32，46）とを特徴とするシステム（10,60）。
【請求項２】
状態信号に基いて電子デバイス（10）のための電源として第1のバッテリ（12）と第２のバッテリ（14）との間のスイッチングを選択的に行うための第３の機構をさらに含む請求項１記載のシステム。
【請求項３】
電子デバイス（10）が無線電話（10）である請求項１記載のシステム。
【請求項４】
無線電話（10）が無線電話トランシーバ（24）、トランシーバ（24）と通信するコンピュータ（18）、表示スクリーン（32）、並びにコンピュータ（18）、第１のバッテリ（12）、および第２のバッテリ（14）を収容する無線電話ハウジング（11）を含む請求項３記載のシステム。
【請求項５】
第１のバッテリ（12）が消耗したときに、第２の機構（18，60，32，46）が第１の警告（78，84，92，100，170，176）を発行するための機構（18，60，32，46）を含む請求項１記載のシステム。
【請求項６】
第２のバッテリ（14）が消耗するか、または電子デバイス（10）から取外されたときに、第２の機構（18，60，32，46）が、第２の警告（66,78,80,94,168,172,176）を発行するための機構（18,60,32,46）をさらに含む請求項５記載のシステム。
【請求項７】
第１のバッテリ（12）または第２のバッテリ（14）、あるいはこの両者が少ないとき、第１のバッテリ（12）または第２のバッテリ（14）、あるいはこの両者が取外されたとき、および第１のバッテリ（12）または第２のバッテリ（14）が消耗したときに、状態信号によって示されているように、第２の機構（18，60，32）が警告（110，140，160）を発行するための機構（18，60，32，46）をさらに含む請求項６記載のシステム。
【発明の詳細な説明】
【技術分野】
【０００１】
発明の属する技術分野 本発明は、バッテリ寿命判断システムに関する。とくに、本発明は、２以上のバッテリを収容することと、それに応答してバッテリ間でスイッチングを行うこととを同時に行うができる電子デバイスにおいて残りのバッテリ寿命を判断するためのシステムおよび方法に関する。
【背景技術】
【０００２】
従来の技術 無線電話のような新しい電子デバイスは、内蔵される電話用のバッテリと取り外し可能な外付けのバッテリとを有し、全体的なバッテリの寿命と、関係する通話時間とを延ばした。１つのより大きなバッテリではなく、２つのバッテリを使用することにより、デバイス設計の融通性が高まり、バッテリ充電のオプションは増えた。
【０００３】
無線電話および他の電子デバイスは、関係するバッテリの充電状態を測定し、それに応答して残りのバッテリ寿命の指標を与えるための、ハードウエアと対応するソフトウエアとを含むことが多い。都合の悪いことに、残りのバッテリの寿命を示すための、大抵の既存のハードウエアおよびソフトウエアのパッケージは、バッテリを１つだけもつ電話または他のデバイス用に設計されている。
【０００４】
したがって、この技術において、２以上のバッテリをもつ電子デバイス内の残りのバッテリ寿命を正確に判断して示すユーザフレンドリなシステムおよび方法が必要とされている。さらに、２以上のバッテリを効率的に収容し、残りのバッテリ寿命の指標に応答して電源としてのバッテリ間で選択的にスイッチングするユーザフレンドリなシステムおよび方法も必要とされている。
【発明の概要】
【０００５】
この技術における必要は、本発明の電子デバイス内に２以上のバッテリを収容するのに役立つシステムによって対処される。例示的な実施形態では、本発明のシステムは無線電話に使用するのに適応していて、第1のバッテリの充電状態および第２のバッテリの充電状態を判断し、それに応答して状態信号を与える第１の機構を含んでいる。第２の機構は、状態信号に基いて第１のバッテリまたは第２のバッテリ、あるいはこの両者に関係する残りのバッテリ寿命の指標を与える。
【０００６】
特定の実施形態では、システムはさらに、状態信号に基いて電子デバイスのための電源として第１のバッテリと第２のバッテリとの間で選択的にスイッチングする第３の機構を含む。電子デバイスは、トランシーバと、トランシーバと通信するコンピュータとを含む無線電話である。無線電話は表示スクリーンを含む。無線電話はさらに、無線電話のトランシーバ、コンピュータ、第１のバッテリ、および第２のバッテリを収容するハウジングを含む。
【０００７】
例示的な実施形態では、第２の機構は、第1のバッテリが消耗したときに第１の警告を発行するための機構を含んでいる。別の機構は、第２のバッテリが消耗したか、または電子デバイスから取外されたときに、第２の警告を発行する。別の機構では、状態信号によって指示されるように、第1のバッテリまたは第２のバッテリ、あるいはこの両者が少ないとき、第２のバッテリが取外されたとき、および第１のバッテリまたは第２のバッテリ、あるいはこの両者が消耗したときに警告を発行する。
【０００８】
本発明の斬新な設計には、電子デバイスのための電源として第１のバッテリまたは第２のバッテリを選択的に採用する第３の機構が役立つ。状態信号に基いて電源として第１のバッテリまたは第２のバッテリを選択的に採用することによって、関係する電子デバイスのユーザのオプションは向上する。例えば、本発明のシステムを採用している無線電話は、呼を継続する一方で、第１または第２のバッテリを充電し、それによって呼の中断を少なくすることができる。
【図面の簡単な説明】
【０００９】
【図１】本発明の教示にしたがって構成されていて、かつ内蔵バッテリ、外付けバッテリ、およびバッテリ寿命判断システム、および電話コンピュータを含む無線電話の例示的なダイヤグラム。
【図２】図１のバッテリ寿命判断システムによって与えられる、内蔵バッテリおよび外付けバッテリのそれぞれ測定された充電状態に基づいて、内蔵バッテリおよび外付けバッテリの残りのバッテリ寿命の指標を与えるための図１の電話コンピュータ上で実行されるソフトウエアのフローチャート。
【図３】外付け充電源が無線電話に取り付けられていないときに、図２のソフトウエアにしたがって図１の無線電話の表示スクリーン上に表示された種々のバッテリの表示の構成を示すダイヤグラム。
【図４】外付け充電源が無線電話に取り付けられているときに、図２のソフトウエアにしたがって図１の無線電話の表示スクリーン上に表示された種々のバッテリ表示の構成を示すダイヤグラム。
【図５】図２のソフトウエアにしたがって図１の無線電話の表示スクリーンを介して実行される種々のバッテリの警告の表示の構成を示すダイヤグラム。
【発明を実施するための形態】
【００１０】
本発明は、特定の応用のための例示的な実施形態に関連して本明細書に記載されているが、本発明はそれらの実施形態に制限されないことが分かるであろう。この技術において普通の技能をもち、かつ本明細書に記載した教示を利用する者には、本発明の技術的範囲および本発明が有効に使用されている追加の領域内における追加の変更、応用、および実施形態が分かるであろう。
【００１１】
図１は、本発明にしたがって構成された無線電話10の例示的なダイヤグラムであり、無線電話10には、ハウジング11、内蔵バッテリ12、外付けバッテリ14、バッテリ寿命判断システム16、および電話コンピュータ18が含まれている。分かり易くするために、クロッキング回路のような追加の回路および追加の電力線は、無線電話10内には示されていないが、この技術において普通の技能をもつ者には、必要な追加の回路がどこに、どのように含まれるかが分かるであろう。
【００１２】
無線電話10はさらにアンテナ20を含み、アンテナ20は送受切換え器（duplexer）22に接続されている。送受切換え器22はトランシーバ24に接続されていて、トランシーバ24はコンピュータ18に接続されている。コンピュータ18はデータインターフェイスアダプタ26、音声コード化／復号化回路28、キーパッド30、表示スクリーン32、バッテリ寿命判断システム16、電力スイッチ36、および外付けバッテリ14を収容して、外付けバッテリ14をコンピュータ18に接続する外付けバッテリ（電池）室38に接続されている。内蔵バッテリ12は外付け充電源アダプタ40の出力に接続されていて、外付け充電源アダプタ40の出力はコンピュータ18および外付け電池室38にも接続されている。内蔵バッテリ12はバッテリ寿命判断システム16の入力にも接続されていて、バッテリ寿命判断システム16の他方の入力は外付け電池室38を介して外付けバッテリ14に接続されている。
【００１３】
バッテリ寿命判断システム16のバッテリ状態の出力は、コンピュータ18の入力に接続されている。電力スイッチ36の入力は、コンピュータ18の制御出力37に接続されている。コンピュータ18の表示制御出力39は表示スクリーン32に接続されている。制御出力37および39は、第１のバッテリ12または第２のバッテリ、あるいはこの両者の充電状態に関係する情報を含むバッテリ状態信号を送る。充電状態情報は、制御信号、バッテリ寿命表示信号、などの形態をとる。
【００１４】
電力スイッチ36の第１、第２、および第３の入力は、内蔵バッテリ12の出力、外付けバッテリ14の出力、および充電源アダプタの出力50にそれぞれ接続されている。電力スイッチ36の電力スイッチ出力48は、スピーカ46、トランシーバ24、表示スクリーン32、キーパッド30、コンピュータ18、マイクロフォン44、および音声コード化／復号化回路28に接続されており、通常は無線電話10に電力を送る。音声コード化／復号化回路28はマイクロフォン44およびスピーカ46にも接続されている。
【００１５】
動作において、バッテリ寿命判断システム16は、内蔵バッテリ12および外付けバッテリ14と関係する電圧レベルを測定し、各バッテリ12および14と関係する所定のバッテリ電圧放電曲線を電圧レベルと比較して、各バッテリ12および14の相対的な残りのバッテリ寿命の指標を生成する。この技術において知られているように、バッテリ電圧放電曲線は、所定の放電レート、すなわちバッテリ電流の引き抜き（draw）が与えられているときに、時間の関数としてバッテリ電圧を示す曲線である。バッテリ寿命判断システム16は新しいバッテリの放電曲線の平均的な形状の明細を明らかにして、平均的な放電曲線から、時間と共に線形に変化する１組の値へ電圧値をマップする。
【００１６】
バッテリ寿命判断システム16はさらに、バッテリ12および14の内部抵抗の測定値を採用して、バッテリ12および14の残りのバッテリ寿命の指標の生成を容易にすることもできる。内部抵抗の測定値を採用して、相対的な残りのバッテリ寿命の正確な指標を与えるバッテリ寿命判断システムは、１９９９年４月２３日にJ. Pritchardによって出願された現在審査中の米国特許出願第09/298,761号(Atty. Docket No. PA990094)（“SYSTEM AND METHOD FOR ACCURATELY DETERMINING REMAINING BATTERY LIFE”）に記載されており、これは本発明の譲受人に譲渡されていて、ここでは参考文献として取上げる。
【００１７】
バッテリ寿命判断システム16は、より完全に別途記載するように、コンピュータ18上で実行される本発明のユニークなソフトウエアによって使用するために、コンピュータ18へバッテリ状態の情報を供給する。バッテリ寿命判断システム16は、内蔵バッテリ12および外付けバッテリ14の状態を示す、内蔵バッテリ12および外付けバッテリ14の状態値を与える。例えば、内蔵バッテリ12が存在していないか、または充電されていないときは、バッテリ寿命判断システム16は、第１のバッテリ12が存在していないか、または充電されていないことと、外付けバッテリ14の状態とを示す。同様に、外付けバッテリ14が存在していないか、または充電されていないときは、バッテリ寿命判断システム16は、外付けバッテリ14が存在していないか、または充電されていないことを示し、さらに加えて相対的な残りのバッテリ寿命の指標に対応する内蔵バッテリ12の状態をバッテリ状態値によって示す。これらのバッテリ状態値はコンピュータ18に与えられ、コンピュータ18は、バッテリ状態値を解釈して、適切なバッテリ寿命のメッセージを供給するソフトウエアを実行して、それに応答して無線電話10のユーザに知らせる。
【００１８】
コンピュータ18上で実行される本発明のユニークなソフトウエアはさらに、電力スイッチ36への制御入力を介して電力スイッチ36を制御する。電力スイッチは３−対−１のデマルチプレクサ（demultiplexer, DEMUX）として働き、内蔵バッテリ12、外付けバッテリ14、および外付け充電源アダプタの出力50から出力電力線48上へ電力入力を選択的にスイッチし、出力電力線48は電流を無線電話10へ方向付ける。より完全に別途するように、本発明のユニークなソフトウエアは、外付け充電源（図示されていない）、内蔵バッテリ12、または外付けバッテリ14が無線電話10に電力を供給するか、否かを、バッテリ12および14の両者に関係するバッテリ状態情報と、外付け充電源アダプタ40からコンピュータ18へ供給される外付け充電信号50とに基いて、選択的に制御する。バッテリ状態情報は、バッテリ寿命判断システム16を介してコンピュータ18に供給される。
【００１９】
外付けバッテリ14が存在していないか、または呼を支援するには十分に充電されておらず；内蔵バッテリ12が呼を支援するのに十分に充電されていて；外付け充電信号50がロー（low）であり、すなわち外付け充電源が外付け充電源アダプタ40に接続されていないときは、コンピュータ18上で実行されるソフトウエアは内蔵バッテリ12の出力を電力スイッチ36を介して出力電力線48へスイッチする。外付けバッテリ14が呼を支援するのに十分に充電にされていて；内蔵バッテリ12が存在しないか、または呼を支援するには十分に充電されておらず；かつ外付け充電信号50がローであるときは、コンピュータ18上で実行されるソフトウエアは外付けバッテリ14の出力を出力電力線48へスイッチする。外付けバッテリ14と内蔵バッテリ12との両者が呼を支援するのに十分に充電されていて、外付け充電信号50がローであるときは、コンピュータ18上で実行されるソフトウエアは外付けバッテリ14の出力を出力電力線48へスイッチする。外付けバッテリ14および内蔵バッテリ12が呼を支援するのに十分に充電されていて、外付け充電信号50がローであるときは、コンピュータ18上で実行されるソフトウエアは外付けバッテリ14の出力を出力電力線48へスイッチする。外付け充電信号50がローであり、内蔵バッテリ12および外付けバッテリ14が呼を支援するには十分に充電されていないときは、無線電話10はオフにされたままである。上述の４つの情況の何れかにおいて外付け充電源が外付け充電源アダプタ40に接続されて、外付け充電信号がハイ（High）になるとき、外付け充電信号50は、コンピュータ18上で実行されるソフトウエアおよび電力スイッチ36を介して出力電力線48へスイッチされる。さらに加えて、外付け充電信号50は、要求に応じて充電電流を内蔵バッテリ12および外付けバッテリ14へ供給し、バッテリ12または14、あるいはこの両者の充電状態は、バッテリ寿命判断システム16を通り、コンピュータ18への出力として、表示スクリーン32と、コンピュータ18上で実行されるソフトウエアとを介して表示される。本発明のユニークなソフトウエアは、バッテリ寿命判断システム16を介して供給される充電状態情報を操作して、表示スクリーン32を介してユーザフレンドリな表示を生成する。ユーザフレ
ンドリな表示は、キーパッド30からのユーザ入力を介して選択的に制御される。
【００２０】
無線電話10を介しての無線通信を容易にするために、アンテナ20は送受切換え器22を介して信号を送受信する。送受切換え器22は、送信機能と受信機能との間でアンテナ20の資源を共用するのに役立つ。トランシーバ24は、アンテナ20および送受切換え器22を介してコード化された音声信号またはサービスネゴシエーション信号のような信号を送信するための送信回路を含む。トランシーバ24はさらに、サービスネゴシエーションメッセージのような信号またはコード化された音声信号のような信号を別の電話、基地局、または移動スイッチングセンタ（図示されていない）を介して受信するための受信回路も含む。トランシーバ24はさらに、コンピュータ18を介して処理するのに備えて、受信信号をディジタルベースバンド信号へ変換するのに必要とされるダウンコンバージョン回路（downconversion circuitry）も含む。さらに加えて、トランシーバ24は、アンテナ20を介して送信するのに備えて、ディジタルベースバンド信号から無線周波数信号へ伝送信号を変換するのに必要とされるアップコンバージョン回路も含む。
【００２１】
ユーザは、キーパッド30を介して番号をダイヤルすることによって呼を開始することができる。コンピュータ18は、トランシーバ24、送受切換え器22、およびアンテナ20を介して使用可能な無線サービスプロバイダとのサービス接続をネゴシエートする。サービスが設定されると、ユーザの音声はマイクロフォン44へ入力され、音声コード化／復号化回路28によってコード化され、コンピュータ18、トランシーバ24、送受切換え器22、およびアンテナ20を介して送信される。同様に、受信した音声メッセージは音声コード化／復号化回路28によって復号化され、スピーカ46を介して音声として出力される。データインターフェイスアダプタ26は、コンピュータ18上で実行されるソフトウエアをアップグレードまたは変更、あるいはこの両者を行うことができるようにする。
【００２２】
本発明のユニークなソフトウエアは、より完全に別途記載するように、２以上のバッテリを収容するのに役立ち、収容されたバッテリに関係する正確な情報をユーザに与えるユーザフレンドリなユーザインターフェイスを用意することによって、無線電話10の機能を向上している。例えば、本発明を介して２以上のバッテリを効率的に収容して、かつより完全に別途記載される本発明のユニークな表示を介してバッテリ状態情報をユーザに供給することによって、ユーザは呼を中断（drop）せずに外付けバッテリ14をより容易に交換することができる。コンピュータ18上で実行される本発明のユニークなソフトウエアは、本発明の技術的範囲から逸脱せずに３以上のバッテリを収容するように変更することができる。
【００２３】
図２は、図１の電話コンピュータ18上で実行されるソフトウエア60のフローダイヤグラムであり、ソフトウエア60は、図１のバッテリ寿命判断システム16によって与えられる、それぞれ内蔵バッテリ12および外付けバッテリ14の測定された充電状態に基いて、内蔵バッテリ12および外付けバッテリ14の残りのバッテリ寿命の指標を与える。
【００２４】
図１および２を参照すると、無線電話10のユーザが、所定のコマンドまたは一連のコマンドを介してバッテリのメニューまたはバッテリの表示にアクセスするとき、制御は最初の接続を判断する機構62へ進む。最初の接続を判断する機構62では、ソフトウエア60は、無線電話10に接続されるのが、外付けバッテリ14のみか、内蔵バッテリ12のみか、内蔵バッテリ12と外付けバッテリ14の両者かと、外付け充電源（図示されていない）が外付け充電源アダプタ40を介して接続されるかとを判断する。この判断は、バッテリ寿命判断システム16からの状態出力に基いて行われる。バッテリと関係する出力線が充電を行わない、すなわちゼロ電圧を供給するとき、バッテリは接続されていないと考えられる。外付け充電源が無線電話10に接続されているときは、各表示には“*CHARGING*”（“*充電中*”）または“CHARGE DONE”（“充電完了”）という表示の見出しが加えられ、“BATTERY”（“バッテリ”）という見出しは各表示スクリーンから取除かれ、これについては後述で実行され、より完全に別途記載される。バッテリが接続されていなくて、外付け充電源が接続されているときは、バッテリメニュー（図示されていない）へアクセスすると、内蔵バッテリまたは外付けバッテリの何れも接続されていないことが示されている。外付けバッテリ14のみが接続されているときは、制御は第１の状態を検索する機構64へ進む。
【００２５】
第１の検索の機構64は、バッテリ寿命判断システム16から外付けバッテリ14の状態にアクセスする。状態は、より完全に別途記載されるようにバッテリのアイコン、バッテリのゲージ、メッセージ、警告、またはその組み合わせによって表示される図形フォーマット（graphical format）へ変換される。次に、制御は内蔵バッテリがない機構66へ進む。
【００２６】
内蔵バッテリがない機構66は、外付け充電源が利用されていないときは、表示スクリーン32上に内蔵バッテリが取り付けられていないことを示す“No Internal Battery”のようなメッセージを表示する。次に、ソフトウエア60は、外付けバッテリ14が使用中であることを示す“＊Ext”のようなメッセージを表示して、より完全に別途記載するように、外付けバッテリ14に関係するバッテリのゲージおよびバッテリのアイコンを表示する。次に制御は終了コマンドを検査する機構68へ進む。
【００２７】
終了コマンドを検査する機構68は、ユーザがキーパッド30上のパワーオフ（Ｐｗｒ）のボタンを押した結果として、バッテリ12または14、あるいは外付け充電源からの電力が不十分であるために自動的にシャットダウンされた結果として、もしくはユーザが“ＱＵＩＴ”のソフトキーのコマンドを入力した結果として、クイット（quit）またはパワーオフのコマンドが発行されたか、否かを判断する。クイットまたはパワーオフのコマンドが発行されると、制御はバッテリのアイコンを表示する機構108へ進み、バッテリのアイコンを表示する機構108では無線電話10に接続されたバッテリ12および14のバッテリ充電状態を表示し、ソフトウエア60は終了する。さもなければ、制御は充電源を検査する機構70へ進む。
【００２８】
充電源を検査する機構70では、ソフトウエア60は、外付け充電源アダプタ40からコンピュータ18へ送られる外付け充電信号50によって、外付け充電源が外付け充電源アダプタ40へ取付けられているか、否かを判断する。外付け充電源が無線電話10へ接続されているときは、制御はメッセージをクリアする機構72へ進む。
【００２９】
メッセージをクリアする機構72では、更新されたソフトウエア変数（図示されていない）によって示されるように、最後にメッセージをクリアする機構72が完了してから、外付け充電源がちょうどプラグインされたとき、すなわちプラグに差し込まれたとき、バッテリのメッセージまたは警告はコンピュータ18のメモリ（図示されていない）からクリアされる。メッセージをクリアする機構72はさらに、動的なバッテリのアイコンを表示し始め、このバッテリのアイコンは、より完全に別途記載されるように、内蔵バッテリ12および外付けバッテリ14の両者の現在の充電状態を動的に示すが、これは同時には行われない。次に取付けられたバッテリは充電を開始し、対応するバッテリの表示は“CHARGING”（“充電中”）という見出しを維持して、バッテリが充電を終了すると、“CHARGE DONE”（“充電完了”）という見出しに変わる。充電しているとき、内蔵バッテリ12は最初に短い間充電され、その後で外付けバッテリ14が短い間充電される。次に内蔵バッテリ12が完全に充電され、その後で外付けバッテリ14がまだ完全に充電されていないときは、完全に充電される。上述の一連の充電動作中に、動的なバッテリのアイコンは、充電されているバッテリの状態を表示するか、さもなければソフトウエア60を介して実行される他の機構にしたがって内蔵バッテリ12および外付けバッテリ14の充電状態を表示する。内蔵バッテリ12の充電と外付けバッテリ14の充電との間で行われるスイッチングは、この技術において普通の技能をもつ者によって外付け充電源アダプタ40と内蔵バッテリ12と外付けバッテリ14との間で別の電力スイッチ（図示されていない）を介して実行することができる。次に、制御は最初の接続を判断する機構62へ戻る。
【００３０】
充電源を検査する機構70が外付け充電源が利用されないと判断するとき、制御74は維持の機構74へ進み、ここで既に記憶されたバッテリのメッセージおよび警告は記憶され、対応する表示はコンピュータ18のメモリ内に記憶される。次に制御は最初の接続を判断する機構62へ戻る。
【００３１】
最初の接続を判断する機構62が、内蔵バッテリ62および外付けバッテリ14の両者が無線電話10に接続されていると判断されると、制御は第２の状態を検索する機構76へ進む。第２の状態を検索する機構76では、ソフトウエア60は内蔵バッテリ12と外付けバッテリ14との両者について残りのバッテリ寿命の指標を検索する。バッテリ12および14の両者が消耗して、その結果それらが呼を支援するのに十分な電力を供給できないとき、制御は消耗の機構78へ進む。
【００３２】
消耗の機構78では、ソフトウエア60は、外付け充電源が存在していないときは、バッテリが消耗したことをユーザに知らせるメッセージを“Battery Expired”のようなメッセージを介して表示し、電話10をオフにすることを示す“Turning off”のようなメッセージを表示した後でパワーオフコマンドを生成するか、または“Battery”（“バッテリ”）という見出しのスクリーンを“Int Expired, Ext Expired”（“内蔵バッテリは消耗し、外付けバッテリは消耗した”）というメッセージと共に表示する。
【００３３】
外付け充電源が無線電話10に接続されるときは、消耗の機構78は、内蔵バッテリ12と外付けバッテリ14との両者が消耗し、それらが現在充電中であることとを示す“＊CHARGING＊ Int Expired Ext Expired”のようなメッセージを表示する。次に制御は終了コマンドを検査する機構68へ進み、バッテリ12および14の両者が消耗し、外付け充電源が無線電話10に取付けられていないときは、この方法は終了する。
【００３４】
第２の状態を検索する機構76によって判断されるように、外付けバッテリ14のみが消耗して、内蔵バッテリ12は十分に充電されていて、残量が少ないまたは消耗したとみなされないときは、制御は外付けバッテリが消耗の機構80へ進み、ここでソフトウエア60は電力スイッチ36への制御信号を生成して、電力が無線電話10へまだ供給されていないときは、電話10は内蔵バッテリ12にスイッチされる。さらに加えて、外付けバッテリが消耗の機構80は、外付けバッテリ14が消耗したことを示す、可聴音か、またはフラッシングするメッセージ、あるいはこの両者のような警告を作動する。ユーザが、“ＯＫ”ボタンのようなキーパッド30上のキーを押すとき、制御は内蔵／外付けバッテリを表示する機構82へ進む。
【００３５】
内蔵／外付けバッテリを表示する機構82は、内蔵バッテリ12または外付けバッテリ14が現在使用中であるか、否かを示し、“＊”が内蔵バッテリ12が使用中であることを示すとき、“＊Int”のようなメッセージを含む表示スクリーン32を介して構成される表示を介して各バッテリ12および14の残りのバッテリの指標を示す。表示にはさらに、より完全に別途記載されるように、各バッテリ12および14のバッテリのゲージと現在使用中のバッテリ状態を示すバッテリのアイコンとが含まれる。バッテリ12または14の一方が消耗すると、ソフトウエア60は、適切な警告の後で、特定のバッテリが消耗したことと、ゲージ、バッテリのアイコン、および／またはテキストメッセージを介してバッテリが消耗したことを示す。ユーザがクイットのソフトキーのコマンドを発行した後で、制御は終了コマンドを検査する機構68へ進む。
【００３６】
第２の状態を検索する機構76では、ソフトウエア60は、内蔵バッテリ12のみが消耗して、外付けバッテリ14が充電されていると判断するとき、制御は内蔵バッテリが消耗の機構84へ進み、ここで“Int Battery Expired”（“内蔵バッテリは消耗した”）のような適切な警告が表示される。ユーザがキーパッド30上の“ＯＫ”のようなキーを押すと、制御は内蔵／外付けバッテリを表示する機構82へ進む。
【００３７】
第２の状態を検索する機構76では、ソフトウエア60は、内蔵バッテリ12のみが少なく、外付けバッテリ14が充電されていると判断すると、制御は内蔵バッテリが少ない機構86へ進み、ここで“Int Battery Low”（“内蔵バッテリが少ない”）のような適切な警告が表示される。ユーザがキーパッド30上の“ＯＫ”のようなキーを押すと、制御は内蔵／外付けバッテリを表示する機構82へ進む。
【００３８】
第２の状態を検索する機構76では、ソフトウエア60が、外付けバッテリ14のみが少なく、内蔵バッテリ12が充電されていると判断するとき、制御は外付けバッテリが少ない機構88へ進み、ここで“Ext Battery Low”（“外付けバッテリが少ない”）のような適切な警告が表示される。ユーザがキーパッド30上の“ＯＫ”のようなキーを押すと、制御は内蔵／外付けバッテリを表示する機構82へ進む。
【００３９】
第２の状態を検索する機構76では、ソフトウエア60が、外付けバッテリ14および内蔵バッテリ12の両者が少ないと判断すると、制御はバッテリが少ない機構90へ進み、“Ext Battery Low, Int Battery Low”（“外付けバッテリが少なく、内蔵バッテリが少ない”）のような適切な警告が表示される。ユーザがキーパッド30上の“ＯＫ”のようなキーを押すと、制御は内蔵／外付けバッテリを表示する機構82へ進む。
【００４０】
第２の状態を検索する機構76では、ソフトウエア60が、外付けバッテリ14が少なく、内蔵バッテリ12が消耗していると判断すると、制御は第1の少ない／消耗の機構92へ進み、ここで“Ext Battery Low Int Battery Expired”（“内蔵バッテリは少なく、外付けバッテリ消耗した”）のような適切な警告が表示される。ユーザがキーパッド30上の“ＯＫ”のようなキーを押すと、制御は内蔵／外付けバッテリを表示する機構82へ進む。
【００４１】
第２の状態を検索する機構76では、ソフトウエア60が、内蔵バッテリ12が少なく、外付けバッテリ14が消耗していると判断すると、制御は第２の少ない／消耗の機構94へ進み、ここで“Ext Battery Expired Int Battery Low”（“外付けバッテリは消耗し、内蔵バッテリは少ない”）のような適切な警告が表示される。ユーザがキーパッド30のような“ＯＫ”のようなキーを押すと、制御は内蔵／外付けバッテリを表示する機構82へ進む。
【００４２】
第２の状態を検索する機構76では、ソフトウエア60が、内蔵バッテリ12および外付けバッテリ14が充電されていて、外付けバッテリも、内蔵バッテリも消耗していないか、または少なくないと判断すると、制御は内蔵／外付けバッテリを表示する機構82へ進む。
【００４３】
最初の接続を判断する機構62が、内蔵バッテリ12のみが無線電話10に接続されていると判断すると、制御は第３の状態を検索する機構96へ進む。第３の状態を検索する機構96では、内蔵バッテリ12の残りのバッテリ寿命の指標がバッテリ寿命判断システム16を介して得られる。外付けバッテリ14がちょうど接続を外されたとき、すなわちソフトウエア追跡変数を介して示されたように、第２の状態を検索する機構76が完了してから初めて、第３の状態を検索する機構96が完了するとき、制御はスイッチングを表示する機構98へ進み、ソフトウエア60は無線電話10の電源として内蔵バッテリ12を使用するようにスイッチングしたことを示すメッセージを表示する。スイッチングを表示する機構98では、ソフトウエア60は“Now Using Int Battery”（“現在内蔵バッテリ使用中”）のようなメッセージを表示する。メッセージは所定の時間期間の間、例えば４秒間か、またはユーザがキーパッド30上のキーを押すまで表示される。
【００４４】
４秒間が経過するか、またはユーザがキーパッド30上のキーを押すかの、何れかより早く行われるが達成されると、制御は外付けバッテリがないことを表示する機構100へ進み、ここではソフトウエア60は、外付けバッテリが存在していないことを示すメッセージを表示し、さらに加えてバッテリのゲージまたはバッテリのアイコン、あるいはこの両者を介して内蔵バッテリ12の残りのバッテリ寿命も示す。次に、制御は外付けバッテリを検査する機構102へ進み、ここではソフトウエア60は、外付けバッテリ14がちょうど取付けられたか、否かを判断する。外付けバッテリがまだ取付けられていないときは、制御は終了コマンドを検査する機構68へ進む。さもなければ、制御は外付け充電状態の機構104へ進み、ここではソフトウエア60は、新しく接続された外付けバッテリ14の充電状態が少ないか、または充電されているかを判断する。外付けバッテリ14が少ないか、または充電されてもいないとき、制御は終了コマンドを検査する機構68へ進む。さもなければ、制御は外付けバッテリを使用していることを表示する機構106へ進む。外付けバッテリを使用していることを表示する機構106は、電話10が現在電源として新しく用意された外付けバッテリ14を使用することにスイッチングしていることを示す、“Now using external battery”のようなメッセージを表示する。メッセージは、１０秒間か、またはキーパッド30上のキーが押されるまでかの、何れかより早く行われる方で表示される。次に、制御は終了コマンドを検査する機構68へ進む。
【００４５】
この実施形態では、機構66、98、106、78、80、84、86、88、90、92、および94において実行される警告は、可聴の電子ブザー音またはフラッシングするメッセージ、あるいはこの両者を伴なうが、その代わりに本発明の技術的範囲から逸脱せずに、他のタイプの警告が実行されてもよい。さらに、この実施形態では、少ないバッテリとは、残りの通話時間が約５分間（＋／−３分間）であると規定されるが、本発明の技術的範囲から逸脱せずに他の時間を採用してもよい。
【００４６】
図３は、外付け充電源が無線電話10へ取付けられていないとき、図２のソフトウエア60にしたがって図１の無線電話10の液晶ディスプレイ（liquid crystal display, LCD）のスクリーン32上に表示されている種々のバッテリの表示110の構成を示すダイヤグラムである。
【００４７】
図１ないし３を参照すると、第１のバッテリの表示112には、“BATTERY”（“バッテリ”）という見出しがあり、内蔵バッテリ12および外付けバッテリ14の両者が消耗していることを“Int Expired Ext Expired”というメッセージを介してユーザに知らせる。さらに加えて、バッテリのアイコン114が示されていて、これはバッテリ12および14の現在の充電状態を示しており、第１のバッテリの表示112の場合は空である。第１のバッテリの表示112は、図２の消耗の機構78または82、あるいはこの両者において実行される。第1のバッテリの表示112では、バッテリのアイコン114はブリンクして、充電がなくなっていることを示している。バッテリ12および14の一方の充電の４ないし７％が残っているときは、バッテリアイコン114はフラッシュしないが、より完全に別途記載するように、インジケータバーは埋められないままにされる。“ＱＵＩＴ”のソフトキー122が表示されており、これはユーザが所定のキーまたは一連のキーを入力して終了することを示す。封筒形のアイコン128は、ショートメッセージサービス（short message service, SMS）のメッセージが使用可能であるか、否かを示している。
【００４８】
第２のバッテリの表示116には、同様に“BATTERY”（バッテリ）という見出しがあり、“＊”符号を伴わずに“Int”という語を表示することによって内蔵バッテリ12が使用されていないことを示し、“＊Ext”という語を表示することによって外付けバッテリ14が使用中であることを示す。内蔵バッテリのゲージ118は“Int”という語の隣りに表示されていて、内蔵バッテリ12の残りのバッテリ寿命または充電レベルを示している。同様に、外付けバッテリのゲージ120は“＊Ext”の隣りに表示されていて、外付けバッテリ14の残りのバッテリ寿命または充電レベルを示している。バッテリのアイコン114は、活動状態のバッテリ、この場合は外付けバッテリ14の充電状態を示している。バッテリのアイコン114の1つのインジケータバーが点灯しているのは、外付けバッテリ14が７ないし１５％充電されていることを示している。第２のバッテリの表示116は、図２の内蔵／外付けバッテリを表示する機構82において実行される。
【００４９】
第３のバッテリの表示124では、バッテリのアイコン114には２つのインジケータバーが点灯しており、外付けバッテリが１５ないし４０％充電されていることを示している。“＊”符号は、“Int”という語の前に位置していて、バッテリアイコン114は、内蔵バッテリ12の残りのバッテリ寿命を示している。外付けバッテリのゲージ120はバッテリのアイコン114と一致する。第３のバッテリの表示124は図２の内蔵／外付けのバッテリを表示する機構82において実行される 第４のバッテリの表示126では、バッテリのアイコン114には３つのインジケータバーが点灯していて、外付けバッテリ14が４０ないし６５％充電されていることを示している。外付けバッテリのゲージ120はバッテリのアイコン114と一致している。同様に、第５のバッテリの表示128では、バッテリのアイコンには４つのインジケータバーが点灯していて、外付けバッテリ14が６５ないし１００％充電されていることを示している。外付けバッテリのゲージ120はバッテリのアイコン114と一致している。
【００５０】
図３の表示110は、電話10が外付け充電源から取り外されたときに適用される。バッテリの表示110を見るには、ユーザは所定の一連のユーザ入力によってバッテリメニュー（図示されていない）にアクセスする。
【００５１】
無線電話10が外付け充電源に取付けられていないときは、表示は、“＊”の符号を先頭に付けて“Int”または“Ext”の何れかを表示することによって何れのバッテリが使用されているかを示す。例えば、表示112を除く、図３の全ての表示110では、外付けバッテリ14は充電されているので、使用されている。外付けバッテリ14が消耗しているときは、“Int”のテキストは“＊”の符号と一緒に表示される。“ＱＵＩＴ”キーは、無線電話10をスタンドバイ状態に戻す。バッテリのアイコン114は、活動状態のバッテリの状態を反映している。
【００５２】
図４は、外付け充電源が無線電話に取付けられているときに、図１の無線電話の表示スクリーン32上に表示されている種々のバッテリ充電の表示140の構成を図２のソフトウエアにしたがって示すダイヤグラムである。表示には、第1の充電の表示142、第２の充電の表示144、第３の充電を表示する機構146、第４の充電を表示する機構148、および第５の充電を表示する機構150を含む。充電の表示140は、図３のバッテリの表示110に類似しているが、最初の４つの表示142、144、146、および148では、“BATTERY”(“バッテリ”)という見出しは“＊CHARGING”（“充電中”）に変わっていて、第５の充電の表示150では、“BATTERY”（“バッテリ”）という見出しは“CHARGE DONE”（“充電完了”）という見出しと置換されているところが異なる。表示140は、図２の機構78または82、あるいはこの両者において実行される。
【００５３】
表示スクリーン32上には、無線電話10がオンであっても、または低電力モード（オフ）であっても、充電の指標、すなわち“＊CHARGING＊”（“＊充電中＊”）が表示される。ユニークなソフトウエア60により、無線電話10のスピーカ46から出る音は、外付け充電源に接続されたときに強さを増す。さらに加えてソフトウエア60により、スピーカから出る音は、外付け充電源から取外されたときに強さを下げる。
【００５４】
無線電話10が、オンおよびスタンドバイのモードまたは状態であり、外付け充電源に接続されているとき、バッテリのアイコン114’は動的であり、両方のバッテリの充電状態、すなわち所与のバッテリが充電中であるか、または充電されていないかを示す。この特定の実施形態では、バッテリ12および14は同時に充電されない。
【００５５】
電話10が充電されているとき、バッテリアイコン114’は所定の時間間隔、例えば３２０ミリ秒の間隔で漸進的に充填され、これは特定用途向けであり、この技術において普通の技能をもつ者によって、所与の応用の必要を満たすために簡単に判断される。電話10が割込まれた（slotted）スリープ状態であるときは、電話10は既に記載したように動作するか、またはさもなければ割込まれたスリープサイクルを判断し、アニメーション化されたバッテリのアイコン114’を対応するレートで更新する。スリープ状態は、電話がオンであるが、ページングチャンネルを監視していない状態である。電話は、スリープ状態であるときは、エネルギを節約し、呼を受取ることはできない。
【００５６】
内蔵バッテリ12または外付けバッテリ14、あるいはこの両者がそれぞれ無線電話10に接続されているか、否かに依存して、内蔵バッテリ12または外付けバッテリ14、あるいはこの両者が完全に充電されるまで、プロセスは繰返される。使用可能であれば、バナー、時間、および日付も表示される。フィードバック音は、（電子ブザー音機能（キービープ（keybeep）が作動するときは）電話10が外付け充電源へ接続されていても、またはそこから接続を外されていても、スピーカ46から音が出てくる。電話10が、ハンドフリーカーキット（Hands-Free Car Kit, HFK）デバイスを除く外付け充電源に接続され、表示スクリーン32のバックライト（図示されていない）が照明され続けるとき、表示スクリーン32のバックライト照明の継続期間は、コンピュータ18上で実行されるソフトウエアを介してコンピュータメモリ内に記憶されているユーザ設定にしたがう。
【００５７】
電話10が低電力モードであるとき、図４のゲージは、内蔵バッテリ12および外付けバッテリのレベルを（これらが接続されているときは）別々に示すように表示されている。無線電話10が外付け充電源に取付けられるか、または取外されるたびに、個々のフィードバック音がスピーカ46から出る。外付けバッテリ14が無線電話10に取付けられていないときは、“Int”のゲージのみが表示される。電話10がオンであるときは、表示140には、所定のユーザ入力によってアクセスできる（上述でより完全に記載した）バッテリメニューからアクセス可能であり、表示することができる。電話10がオンであり、外付け充電源に接続されていないときは、“＊CHARGING＊”（“＊充電中＊”）の見出しは“BATTERY”（“＊バッテリ＊”）に変わり、ＱＵＩＴのソフトキーが使用可能である。動的なバッテリのアイコン114’は、電話10が外付け充電源に接続されているときのみ表示される。電話10が低電力モードであるときは、表示スクリーン32のバックライトは照明されない。
【００５８】
動的なバッテリのアイコン114’が静的になり、バッテリ12または14が完全に充電されているときは、電話10が低電力モード（オフモードとしても知られている）であっても、またはオンモードであっても、フル充電を示す。電話10が内蔵バッテリ12か、または外付けバッテリ14をもたないが、（ＡＣアダプタを除く）外付け充電源に接続されているときは、電話10は内蔵バッテリ12を迅速に充電して、次に外付けバッテリ14を迅速に充電して、次に内蔵バッテリ12の充電を迅速に終了し、その後で外付けバッテリ14の充電を終了する。高速の充電（fast charging）は、バッテリが最初に所定の時間期間の間充電されるプロセスであり、これは特定用途向けであり、バッテリ充電曲線に依存する。一般的にクイック充電（quick charging）はバッテリの充電曲線が横ばい状態になり始める地点までバッテリを充電するが、クイック充電を行なうのに、本発明の技術的範囲から逸脱することなく他の充電時間を採用してもよい。
【００５９】
図５は、図２のソフトウエア60にしたがって図１の無線電話10のＬＣＤ32を介して実行される種々のバッテリ警告の表示160の構成を示すダイヤグラムである。警告の表示には、第１の警告の表示162、第２の警告の表示164、第３の警告の表示166、第４の警告の表示168、第５の警告の表示170、第６の警告の表示172、第７の警告の表示174、および第８の警告の表示176を含む。警告の表示160は一般的に、４秒間か、または“ＯＫ”のソフトキーがユーザによって作動させられるまでかの、何れかより早く終了する方において表示され続ける。“ＯＫ”のソフトキーは、図１のキーパッド30上の“ＯＫ”ボタンを押すことによって作動する。
【００６０】
図１、２および５を参照すると、第１の警告の表示162では、“INTERNAL AND EXTERNAL BATTERY LOW”(“内蔵バッテリおよび外付けバッテリが少ない”)といったメッセージを表示する。第１の警告の表示162は、図２のバッテリが少ない機構90において実行される。バッテリのアイコン114は通常は、バッテリ12および14の両者が少ないときにフラッシュまたはブリンクする。
【００６１】
第２の警告の表示164には、“INTERNAL BATTERY LOW”（“内蔵バッテリは少ない”）というメッセージが表示されている。第２の警告の表示164は、図２の内蔵バッテリが少ない機構86において実行される。バッテリのアイコン114は通常は、内蔵バッテリ12が少ないことを示すときに、フラッシュまたはブリンクする。
【００６２】
第３の警告の表示166には、“EXTERNAL BATTERY LOW”(“外付けバッテリが少ない”)というメッセージが表示されている。第３の警告の表示166は、図２の外付けバッテリが少ない機構88において実行される。バッテリアイコン114は通常は、外付けバッテリ12が少ないことを示すときに、フラッシュまたはブリンクする。
【００６３】
第４の警告の表示168には、“EXTERNAL BATTERY EXPIRED INTERNAL LOW”（“外付けバッテリは消耗していて、内蔵バッテリは少ない”）というメッセージが表示されている。第４の警告の表示168は、図２の第２の少ない／消耗の機構94において実行される。バッテリのアイコンは第４の警告の表示168内には存在していない。
【００６４】
第５の警告の表示170には、“EXTERNAL BATTERY EXPIRED INTERNAL LOW”（“外付けバッテリは消耗していて、内蔵バッテリは少ない”）というメッセージが表示されている。第５の警告の表示170は図２の第１の少ない／消耗の機構92において実行される。バッテリのアイコン114は、通常は第５の警告の表示170においてフラッシュする。
【００６５】
第６の警告の表示172には、“EXTERNAL BATTERY EXPIRED”（“外付けバッテリは消耗している”）というメッセージが表示されている。第６の警告の表示172は、図２の外付けバッテリが消耗の機構80において実行される。第６の警告の表示172にはバッテリのアイコンは存在していない。
【００６６】
第７の警告の表示174には、“Now Using Internal Battery”（“現在内蔵バッテリ使用中”）というメッセージが表示されている。第７の警告の表示174は、図２のスイッチングを表示する機構98において実行される。第７の警告の表示174には、バッテリのアイコンは存在していない。
【００６７】
第８の警告の表示176には、“BATTERY EXPIRED Phone Turning Off”（“バッテリは消耗し、電話はオフにされる”）というメッセージが表示されている。第８の警告の表示176には、図２の消耗の機構78において実行される。第８の警告の表示176には、バッテリのアイコンは存在していない。
【００６８】
ここで、コンピュータ18上で実行されるソフトウエア60は、バッテリ12および14の両者を監視し、これらに充電情報を供給する。電話10がオンにされていて、充電されていないときは、バッテリのアイコン114は外付けバッテリ14または内蔵バッテリ12の何れかの充電レベルを示しているが、同時に両者は示されない。外付けバッテリ14が取付けられていないときは、バッテリのアイコン114は内蔵バッテリ12の充電レベルを示す。外付けバッテリ114が取付けられているときは、“Now Using External Battery”（“現在外付けバッテリ使用中”）というメッセージは１０秒間表示されるか、または何れかのキーを押してクリアする。次にバッテリのアイコン114は、外付けバッテリ14の充電レベルのみを反映するように更新される。外付けバッテリ14の充電を使い尽くしてしまい、警告が表示されるとき、ユーザ確認後に、バッテリのアイコン114は内蔵バッテリ12の充電レベルを反映する。外付けバッテリ14の接続が外されると、表示スクリーン32は“Now using Internal Battery”（“現在内蔵バッテリ使用中”）といった通知メッセージを４秒間与えるか、または何れかのキーを押してクリアされる。バッテリのアイコン114は内蔵バッテリ12の充電レベルを反映するように変えられる。
【００６９】
各警告メッセージ（表示160および図２の機構98、106、78、80、および84ないし94参照）には、単一の電子ブザー音が伴って、ユーザの確認を求めるか、または所定の時間が経過するまで表示される。電話10は、使用中の検出時および外付け充電源から取外された後にオンにされるとき、適切な警告が表示される。少ないバッテリの警告（表示162ないし170および図２の機構86ないし94参照）は、電話10の通話時間が５分＋／−３分残っているときに行われる。消耗したバッテリの警告（表示168、170、172、176および図２の機構78、80、84を参照）は、バッテリ12および14の１つ以上が、呼を支援するために無線電話10に十分な電力を最早供給できないときに行われる。
【００７０】
外付けバッテリ14が消耗すると、電話10は直ちに内蔵バッテリ12から電力を引き出すが、バッテリのアイコン114には警告のメッセージは伴わない。ユーザの確認後および“Now Using Internal Battery”（“現在内蔵バッテリ使用中”）というメッセージが表示された後で、バッテリのアイコン114は内蔵バッテリ12の状態を反映するように更新する。
【００７１】
バッテリ消耗の警告（表示168、170、172、176および図２の機構78、80、84を参照）がユーザの“ＯＫ”の応答なしに発行されるとき、警告は大抵の現在のバッテリ充電状態を反映するように変わる（図２の機構82参照）。警告メッセージをクリアするには、“ＯＫ”を1回だけ押すことが求められる。
【００７２】
電話10が外付け充電源に接続されて、その後で図２のソフトウエア60の実行中に取外されるか、または電話10がオフにされて、その後再びオンにされない限り、通常はソフトウエア60の実行中に重複する警告メッセージは発行されない。電話10が外付け充電源に接続されるたびごとに、過去の警告の記録は削除される。例えば、電話10が、内蔵バッテリが少ないという警告が発行された後で外付け充電源に接続され、内蔵バッテリ12の充電の表示が変わる前に取外されるとき、“Internal Battery Low”（“内蔵バッテリが少ない”）という警告（図２の機構86参照）が再び表示される。警告は、電源が投入されるたびに再び表示される。
【００７３】
外付けバッテリ14に関係する変化が、外付けバッテリ14の充電状態に影響を与えるとき、適切な警告が表示される。例えば、“External Expired Internal Low”（“外付けバッテリは消耗していて、内蔵バッテリは少ない”）（図２の機構94参照）というメッセージが表示され、外付けバッテリを交換するとき、新しく取り付けられた外付けバッテリが再び電力不足にならない限り、内蔵バッテリの状態（少ない）を反映する新しいメッセージは繰返されず、この場合に外付けバッテリの状態（少ない）を含む適切な警告が表示される。
【００７４】
バッテリが完全に放電されると、バッテリのアイコン114は対応する警告を伴わない。これは“EXTERNAL BATTERY EXPIRED”（“外付けバッテリは消耗した”）および“BATTERY EXPIRED”（“バッテリは消耗した”）という警告を適用する。“EXTERNAL BATTERY EXPIRED INTERNAL LOW”（“外付けバッテリは消耗していて、内蔵バッテリは少ない”）という警告は、外付けバッテリ14の放電によって警告が発行されるときのみ、上述の規則にしたがう。警告が内蔵バッテリ12の充電レベル（この例では少ない）のみに応答するとき、バッテリのアイコン114は表示され続ける。
【００７５】
バッテリが少ないという警告（表示162ないし170および図２の機構86ないし94参照）は、“Missed Call”（“呼を取り損なった”）の表示（図示されていない）にオーバーライドする。バッテリが少ないという警告が肯定応答された後で、“Missed Call”の通知が表示される。
【００７６】
種々の表示（図３の110、図４の140、および図５の160参照）が、タイムアウトカウンタをもち、例えば呼の中断（call drop）および呼の失敗（call fail）が表示されるとき、呼の中断または呼の失敗の表示と関係する適切なメッセージが表示され、図１の表示スクリーン32はタイムアウトすると、バッテリが少ないという警告を示す。
【００７７】
バッテリが少ないという警告（表示162ないし170および図２の機構86ないし94参照）は、ショートメッセージサービス（short message service, SMS）の通知にオーバーライドする。入力されるＳＭＳの警告が到達するときに、バッテリが少ないという警告が表示されると、ＳＭＳのメッセージは４秒間表示され、その後でバッテリが少ないという警告が表示される。何れかのキーを４秒間押すと、バッテリが少ないという警告が表示される。封筒形のアイコン128が表示されて、受信したＳＭＳメッセージを示す。  内蔵バッテリ12か、または内蔵バッテリ12および外付けバッテリ14の両者が呼を支援できないときは、電話10がオフにされる前に、警告が表示される（図５の表示176および図２の機構78参照）。ユーザが通話中であるときは、バッテリが少ないという警告および対応する音が１分ごとにユーザに警告される。
【００７８】
したがって、本発明は本明細書において特定の応用のための特定の実施形態を参照して記載されている。この技術において普通の技能をもち、この教示にアクセスする者には、本発明の技術的範囲内の追加の変更、応用、および実施形態が分かるであろう。
【００７９】
したがって特許請求項において、本発明の技術的範囲内のこのような応用、変更、および実施形態の何れかおよび全てが含まれることが意図されている。
【図１】
2010035416.tif 000003
【図２】
2010035416.tif 000004
【図３】
2010035416.tif 000005
【図４】
2010035416.tif 000006
【図５】
2010035416.tif 000007
【外国語明細書】
2010035416000001.pdf